(57)【要約】【課題】過大な電流が流れると電気を流さない絶縁状態にするように指示するともに、ヒューズの交換する時期を知らせ、取り付け、交換が簡単な安全装置を提供する。【解決手段】包装ケースと、2本の挿入ピンと、該包装ケースの内部に挿入ピンに接続して設けられるヒューズとを含んでなり、該包装ケース内の挿入ピンの間には大きな電流が流れることを阻止する阻止部材と、ミクロ型の指示灯が平行に接続して設けられ、通常、電流はヒューズを通過し、指示灯へは流れないが、ヒューズが過大な電流が流れることにより溶解して切断されると、電流が指示灯へ流れ、指示灯が発光し、ヒューズが焼けて切断された状態であることをすぐに示すため、作業員がすぐに交換処理を行ぅことができる構造からなる。【選択図】図1
0003127791.tif 000002
【実用新案登録請求の範囲】
【請求項１】
包装ケースと、2本の挿入ピンと、該包装ケースの内部に挿入ビンに接続して設けられるヒューズとを含んでなり、
該包装ケース内の挿入ピンの間には大きな電流が流れることを阻止する阻止部材と、ミクロ型の指示灯が平行に接続して設けられ、通常、電流はヒューズを通過し、指示灯へは流れないが、ヒューズが過大な電流が流れることにより溶解して切断されると、電流が指示灯へ流れ、指示灯が発光し、ヒューズが焼けて切断された状態であることをすぐに示すため、作業員がすぐに交換処理を行うことができる構造からなることを特徴とする安全装置。
【請求項２】
前記指示灯はネオンランプであることを特徴とする請求項1に記載の安全装置。
【請求項３】
前記2本の挿入ピンは左、右空間の内部に嵌合して設けられ、外側の両側面の点上の圧迫を利用して挟持、固定する作用により抜け落ちることがない構造からなることを特徴とする請求項1に記載の安全装置。
【考案の詳細な説明】
【技術分野】
【０００１】
この考案は、電気の安全装置に関し、特に過大な電流が流れると電気を絶縁するように指示を出すとともに、ヒューズの交換時期を知らせる安全装置に関する。
【背景技術】
【０００２】
安全装置はさまざまな工業製品、住宅及び住宅関連設備や製品に広く使用されている。安全装置の使用比率が極めて高く、応用範囲が次第に広くなるにつれて、多種多様な形態、機能を具えた安全装置が相次いで市場で販売されるよぅになっている。現在、市場でよく見られる安全装置は大型の安全装置、温度に反応する安全装置、挿入式の安全装置、嵌合式の安全装置などの形態に分けられる。また、すばやく装着ができ、便利で、安全性が高く、様々なスタイルに形成できるなどの特徴から挿入式の安全装置が市場における電気の安全装置の主流になってきている。
【０００３】
従来の挿入式の安全装置は、包装ケース、2本の挿入ピン、該2本の挿入ピンに接続したヒューズなどを組み合わせて構成する。該2本の挿入ピンはヒューズにより並列な状熊で互いに接続し、包装ケースにより予め被覆されている。よって、挿入式の安全装置を使用する場合、安全装置の挿入溝にヒューズを挿設して通路を形成するとともに、電流が高すぎることを防ぐため、電気回路を保護する目的を達成することができる。
【０００４】
挿入式の安全装置の使用は安全性が高い。しかしながら、挿入式の安全装置の使用において、安全装置の挿人構に接続され、半分が被覆された状態になる。このため、ヒューズが溶解して切断された状熊にある場合、もしくは完全に挿設されず接触不良の状態が発生している場合に作業員が気づき難く、発見した時にはすぐに改善しなければならない状況になっている。このため、修理に費用と時間がかかり、改善する必要がある。
【考案の開示】
【考案が解決しようとする課題】
【０００５】
この考案は、過大な電流が流れると電気を流さない絶縁状態にするように指示するともに、ヒューズの交換する時期を知らせ、取り付け、交換が簡単な安全装置を提供することを課題とする。
【課題を解決するための手段】
【０００６】
そこで本発明者は、従来の技術に鑑み鋭意研究を重ねた結果、包装ケースと、2本の挿入ピンと、該包装ケースの内部に挿入ピンに接続して設けられるヒューズとを含んでなり、該包装ケース内の挿入ピンの間には大きな電流が流れることを阻止する阻止部材と、ミクロ型の指示灯が平行に接続して設けられ、通常、電流はヒューズを通過し、指示灯へは流れないが、ヒューズが過大な電流が流れることにより、溶解して切断されると、電流が指示灯へ流れ、指示灯が発光し、ヒューズが焼けて切断された状態であることをすぐに示すため、作業員がすぐに交換処理を行ぅことができる構造によって課題を解決できる点に着眼し、係る知見に基づき本発明を完成させた。
以下、この発明について具体的に説明する。
【０００７】
請求項1に記載する安全装置は、包装ケースと、2本の挿入ピンと、該包装ケースの内部に挿入ピンに接続して設けられるヒューズとを含んでなり、該包装ケース内の挿入ピンの間には大きな電流が流れることを阻止する阻止部材と、ミクロ型の指示灯が平行に接続して設けられ、通常、電流はヒューズを通過し、指示灯へは流れないが、ヒューズが過大な電流が流れることにより溶解して切断されると、電流が指示灯へ流れ、指示灯が発光し、ヒューズが焼けて切断された状態であることをすぐに示すため、作業員がすぐに交換処理を行うことができる構造からなる。
【０００８】
請求項2に記載する安全装置は、指示灯がネオンランプである。
【０００９】
請求項3に記載する安全装置は、前記2本の挿入ピンは左、右空間の内部に嵌合して設けられ、外側の両側面の点上の圧迫を利用して挟持、固定する作用により抜け落ちることがない構造からなる。
【考案の効果】
【００１０】
この考案の安全装置は、取り外し、交換が簡単で修理の時間が短縮でき、安全性を高めるなどの効果を有する。
【考案を実施するための最良の形態】
【００１１】
この考案は、電気を流さない絶縁状態にするように指示するともに、ヒューズの交換する時期を知らせる安全装置であって、包装ケースと、2本の挿入ピンと、該包装ケースの内部に挿入ピンに接続して設けられるヒューズとを含んでなり、該包装ケース内の挿入ビンの間には大きな電流が流れることを阻止する阻止部材と、ミクロ型の指示灯が平行に接続して設けられ、通常、電流はヒューズを通過し、指示灯へは流れないが、ヒューズが過大な電流が流れることにより溶解して切断されると、電流が指示灯へ流れ、指示灯が発光し、ヒューズが焼けて切断された状態であることをすぐに示すため、作業員がすぐに交換処理を行うことができる構造からなる。
係る構成の安全装置について、その構造と特徴を詳述するために具体的な実施例を挙げ、以下に説明する。
【実施例】
【００１２】
図1は、この考案の安全装置の分解図を示したものであり、図2は、この考案の安全装置を組み合わせた状態を示したものである。
【００１３】
図面によれば、この考案は、包装ケース1と、2本の挿入ピン2と、ヒューズ3とを含んでなる。該包装ケース1は、透明、もしくは半透明のプラスチック、もしくはアクリルから形成され、一端に一体に形成し、中央空間1０と、該中央空間1０の両側に形成された左、右空間11、12の3つの部分を具えてなり、他端が自由端に形成される。該左、右空間11、12の封鎖された端縁部には小さな孔111、121(図示しない)が形成される。
【００１４】
該2本の挿入ピン2は、優れた導電性を具えた金属から形成され、一端に尖った導角2０が形成され、他端に小さな凸部21が形成される。このため、包装ケース1の左、右空間11、12の内部にスムーズに嵌合することができる。また、凸部21が孔111、121に嵌合されるため、挿入ピン2が左、右空間11,12の内部で位置決めされる。さらに、2本の挿入ピン2が左、右空間11、12内に嵌設されると、対向する2つの側面が点状の圧迫を利用して挟持、固定する作用を具えた圧力孔13により挿入ピン2が抜け落ちることを防ぐ。
【００１５】
上述のヒューズ3は両端がそれぞれ挿入ピン2の対向する側面上に接続するとともに、包装ケース1の内部に設けられる。
【００１６】
この考案の包装ケース1内の挿入ピン2の間には過大な電流が流れることを防ぐ阻止部材4と、ミクロ型の指示灯5が平行に接続して設けられる。該阻止部材4は電流がヒューズ3に向けて流れるようにする。該指示灯5はヒューズ3が正常であるか、もしくは溶解、切断された状態かを判断し、表示するために供するとともに、様々な色のネオンランプを設けることができる。
【００１７】
図3は、この考案の安全装置を挿入する状態を示したものである。図4は、この考案の安全装置の実施例を示したものである。図面によれば、この考案の安全装置を複数のポート端子台6に設けて使用する場合、安全装置を安全装置の挿入溝7の内部に挿設する。通電後、通常の場合、電流はヒューズ3を通過し、指示灯5へは流れない。しかしながらヒューズ3に過大な電流が流れるか、ヒューズが溶解、切断されると、電流が阻止部材4と指示灯5へ自然に流れていき、指示灯5を発光させるため、ヒューズ3が焼けたことや、故障していることを作業員にすぐに知らせることができる。よって、図5A、Bに開示するように、作業員がすぐに交換処理を行うことができるため、安全である。
【００１８】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案登録請求の範囲に属するものとする。
【図面の簡単な説明】
【００１９】
【図１】この考案の安全装置を示した分解図である。
【図２】この考案の安全装置を組み合わせた状態を示した説明図である。
【図３】この考案の安全装置を安全装置に挿入する状態を示した説明図である。
【図４】この考案の安全装置の応用例を示した斜視図である。
【図５Ａ】この考案の安全装置のヒューズが正常な状態を示した説明図である。
【図５Ｂ】この考案の安全装置のヒューズが損壊した状態を示した説明図である。
【符号の説明】
【００２０】
１      包装ケース
１０    中央空間
１１    左空間
１１１  孔
１２    右空間
１２１  孔
１３    圧力孔
２      挿入ピン
２０    導角
２１    凸部
３      ヒューズ
４      阻止部材
５      指示灯
６      端子台
７      挿入溝
【図１】
0003127791.tif 000003
【図２】
0003127791.tif 000004
【図３】
0003127791.tif 000005
【図４】
0003127791.tif 000006
【図５Ａ】
0003127791.tif 000007
【図５Ｂ】
0003127791.tif 000008